(57)【要約】【課題】  洗濯物や布団を降雨から守りながら、天候が回復したときには適時日当たりや風通しを確保して様々な天候の変化に柔軟に対応する。【解決手段】  全天候型居住環境制御システムでは、雨で濡れるのを避ける洗濯物や布団を置くベランダのような居住空間と外界との境界部に雨よけ部材の支持部材を固定する。雨よけ部材は、開閉可能に配列された複数の長方薄板が配列方向に移動することで収納または引き出される。雨よけ部材の収納と長方薄板の固定角度を操作する動力手段を備える。判定手段は降雨状態であるかどうかを判定する。制御手段は、降雨状態の場合に雨よけ部材を引き出し、降雨状態でない場合に雨よけ部材を収納する。【選択図】  図１ 
2006037395.tif 000002
【特許請求の範囲】
【請求項１】
開閉可能に配列された複数の長方薄板が配列方向に移動することで収納または引き出される雨よけ部材と、
前記雨よけ部材の支持部材と、
前記雨よけ部材の収納と前記長方薄板の固定角度を操作する動力手段と、
降雨状態であるかどうかを判定する判定手段と、
降雨状態の場合に前記雨よけ部材を引き出し、降雨状態でない場合に前記雨よけ部材を収納する制御手段と
を備えた全天候型居住環境制御システム。
【請求項２】
前記制御手段が前記雨よけ部材の制止を解除することにより、前記雨よけ部材をその自重で引き出す請求項１記載の全天候型居住環境制御システム。
【請求項３】
風量を検知する風量検知手段をさらに備え、
前記制御手段は、前記風量検知手段が検知した風量がしきい値以上のときには、前記雨よけ部材を引き出さない請求項１記載の全天候型居住環境制御システム。
【請求項４】
風量を検知する風量検知手段をさらに備え、
前記制御手段は、前記雨よけ部材が引き出された状態の場合に、前記風量検知手段が検知した風量に基づいて前記長方薄板の固定角度を調整する請求項１記載の全天候型居住環境制御システム。
【請求項５】
前記制御手段は、前記判定手段が降雨の終了を推定しても、前記雨よけ部材に付着した水の飛散に対する条件が満たされるまで、前記雨よけ部材を引き出さない請求項１記載の全天候型居住環境制御システム。
【請求項６】
日照量を検知する日照量検知手段をさらに備え、
前記制御手段は、前記雨よけ部材が引き出された状態の場合に、前記日照量検知手段が検知した日照量に基づいて前記雨よけ部材を収納する請求項１記載の全天候型居住環境制御システム。
【請求項７】
降雨量を検知する降雨量検知手段をさらに備え、
前記制御手段は、前記判定手段が前記降雨量検知手段の検知した降雨量から降雨の終了を推定したとき前記日照量検知手段が検知した日照量がしきい値以上であれば、前記雨よけ部材を収納する請求項６記載の全天候型居住環境制御システム。
【請求項８】
降雨量を検知する降雨量検知手段を上下方向の異なる位置に複数備え、
前記制御手段は、各降雨量検知手段が検知した降雨量に基づいて、前記雨よけ部材を引き出す量または前記雨よけ部材を収納する量を制御する請求項１記載の全天候型居住環境制御システム。
【請求項９】
前記制御手段は、前記長方薄板の固定角度を各降雨量検知手段が検知した降雨量に基づいて制御する請求項８記載の全天候型居住環境制御システム。
【請求項１０】
前記制御手段は、前記雨よけ部材を引き出したとき、前記長方薄板を閉じる請求項１記載の全天候型居住環境制御システム。
【請求項１１】
前記制御手段は、雨よけ側での風の流れに基づいて定めた角度に前記長方薄板の固定角度を調整する請求項１記載の全天候型居住環境制御システム。
【請求項１２】
前記長方薄板の間から雨よけ側へ入る風の向きが下斜め方向となる角度に前記長方薄板の固定角度が調整されている場合でも前記長方薄板の間から雨よけ側へ雨が入り込まない領域にある前記長方薄板を指定する手段をさらに備え、
前記制御手段は、引き出された状態の前記雨よけ部材の前記長方薄板のうち指定された前記長方薄板についてその角度に固定角度を調整するとともに、雨よけ側から前記長方薄板の間を通じて出る風の向きが下斜め方向となる角度に、指定された長方薄板よりも下側にある前記長方薄板の固定角度を調整する請求項１１記載の全天候型居住環境制御システム。
【請求項１３】
前記制御手段は、複数の雨よけ部材を用いて同じ場所の雨よけが行われる場合について雨よけと風通しから定めた角度に各雨よけ部材の前記長方薄板の固定角度を調整する請求項１記載の全天候型居住環境制御システム。
【請求項１４】
前記長方薄板の素材に透明または半透明の素材を用いた請求項１記載の全天候型居住環境制御システム。
【請求項１５】
洗濯物が雨よけ側に配置されているか否かを検知する手段と、
ユーザが外出しているか在宅しているかを判別する手段とをさらに備え、
前記制御手段は、洗濯物が雨よけ側に配置されそのユーザが外出している場合に限り、前記雨よけ部材を引き出す請求項１記載の全天候型居住環境制御システム。
【請求項１６】
ユーザが在宅している場合に前記判定手段が降雨状態の判定をしたとき、そのユーザに降雨を通知する手段をさらに備えた請求項１５記載の全天候型居住環境制御システム。
【請求項１７】
降雨量を検知する降雨量検知手段と、
電気通信回線を通じ外部装置からの情報を取得する取得手段とをさらに備え、
前記制御手段は、前記判定手段が前記降雨量検知手段の検知した降雨量から降雨の終了を推定したとき、取得された情報により前記雨よけ部材を収納する許可が与えられていれば、前記雨よけ部材を収納する請求項１記載の全天候型居住環境制御システム。
【請求項１８】
降雨の終了の推定があったことの通知を外部装置に送信する手段をさらに備え、
前記制御手段は、通知の送信がされてから、その通知を送信した外部装置から前記雨よけ部材を収納する許可を与える情報が取得されると、前記雨よけ部材を収納する請求項１７記載の全天候型居住環境制御システム。
【請求項１９】
前記取得手段は、外部装置からの情報を取得するときに、前記雨よけ部材の識別情報または設置地域の識別情報をその外部装置に送信することにより、その識別情報または設置地域に対応する情報を外部装置から取得する請求項１７記載の全天候型居住環境制御システム。
【請求項２０】
前記取得手段は、電気通信回線を通じて接続されたユーザの携帯端末から、前記雨よけ部材を収納する許可に関する情報を取得する請求項１７記載の全天候型居住環境制御システム。
【請求項２１】
電気通信回線を通じ別の全天候型居住環境制御システムからその全天候型居住環境制御システムの検出した降雨量または判定の結果を取得する手段をさらに備え、
前記判定手段は、別のシステムから取得した降雨量または判定の結果にも基づいて判定を行う請求項１記載の全天候型居住環境制御システム。
【請求項２２】
降雨量を検知する降雨量検知手段と、
電気通信回線を通じ気象予報情報を取得する取得手段とをさらに備え、
前記制御手段は、前記判定手段が前記降雨量検知手段の検知した降雨量から降雨の終了を推定したとき、取得された気象予報情報が設定条件を満たしていれば、雨よけ部材を収納する請求項１記載の全天候型居住環境制御システム。
【請求項２３】
前記取得手段は、家電機器または家電機器に接続されたホームサーバから気象予報情報を取得する請求項２２記載の全天候型居住環境制御システム。
【請求項２４】
家電機器または家電機器の接続されたホームサーバから家電機器の動作または設定を示す情報を取得する取得手段をさらに備え、
前記制御手段は、取得した情報にも基づいて前記雨よけ部材の収納または引き出しを制御する請求項１記載の全天候型居住環境制御システム。
【請求項２５】
前記取得手段は、洗濯または乾燥の終了に関する情報を洗濯または乾燥を行う機器から取得し、
前記制御手段は、洗濯または乾燥を行う機器から取得した情報に基づいて、前記雨よけ部材を引き出す予定時刻を決定するとともに、決定した予定時刻から次に前記雨よけ部材を収納するまでの間は、引き出された前記雨よけ部材の前記長方薄板の固定角度を調整する制御のみを行う請求項２４記載の全天候型居住環境制御システム。
【請求項２６】
降雨の予測時刻を特定する手段をさらに備え、
前記制御手段は、特定された時刻までに前記判定手段が降雨状態の判定をしなければ、その時刻に前記雨よけ部材を引き出す請求項１記載の全天候型居住環境制御システム。
【請求項２７】
前記支持部材は、長さの調整により取り外し可能に固定される請求項１記載の全天候型居住環境制御システム。
【請求項２８】
開閉可能に配列された複数の長方薄板が配列方向に移動することで外界と居住空間を二分する雨よけ部材と、
前記雨よけ部材の収納と前記長方薄板の固定角度を操作する動力手段と、
前記外界の降雨量を検知する降雨量検知手段と、
風量を検知する風量検知手段と、
日照量を検知する日照量検知手段と、
前記降雨量検知手段が検知した降雨量に基づいて降雨状態であるかどうかを判定する判定手段と、
前記判定手段の判定結果、ならびに前記風量検知手段および前記日照量検知手段の検知量を基にして、前記動力手段の制御を行い前記居住空間への雨滴の侵入を防止するとともに前記居住空間に対する風量と日照量の制御を行う制御手段と
を備えたことを特徴とする全天候型居住環境制御システム。
【発明の詳細な説明】
【技術分野】
【０００１】
本発明は、干した洗濯物や布団が雨で濡れるのを避けるための雨よけ部材により、外界と居住空間を二分する全天候型居住環境制御システムに関するものである。
【背景技術】
【０００２】
雨よけの装置は、例えば特許文献１や特許文献２に開示されている。特許文献１に記載された自動雨よけ装置には、降雨を検知するセンサが設けられている。降雨を検知すると、モータが作動し雨よけフィルムの巻き付けられた軸を駆動する。軸の駆動により、雨よけフィルムは垂れ下がり、ベランダに置かれた布団や洗濯物を降雨から守る。雨よけフィルムの下端がベランダの床面に到達し、その下端にある錘の重力が軸にかからなくなると、制御器はモータを停止する。
【０００３】
特許文献２に記載されたベランダ用防護装置は、風雨や降雪などの侵入を防止してベランダ内の洗濯物を保護する。ベランダの天井部には、シャッターを収納する収納部が備えつけられる。センサが降雨や強風を検知したり、居住者が昇降操作スイッチを操作したりすると、シャッターが収納部から引き出される。シャッターがシートの場合には、その下端に配置されたウェイト部の重さにより、シャッターはガイドレールに沿って下降して雨や強風がベランダに入り込むのを防止する。
【０００４】
このような雨よけ装置を用いれば、利用者が外出しているときに突然雨が降ったとしても、ベランダの洗濯物などが雨に濡れるのを避けることができる。
【特許文献１】実開昭６１−５９３３号公報
【特許文献２】特開２００２−１７３９７５号公報
【発明の開示】
【発明が解決しようとする課題】
【０００５】
しかしながら、雨よけフィルムやシャッターが下降したままになっていると、ベランダのような居住空間の日当たりや風通しが悪くなってしまう。雨よけフィルムやシャッターに透光性部材を用いれば、天候が回復してベランダに陽光があたると、下降した雨よけフィルムやシャッターを陽光が透過することでベランダは暖かくなるけれども、風通しは悪いままである。特許文献２に記載された装置では、昇降操作スイッチの操作によりシャッターを上昇させることができるが、その操作は利用者が行わなければならない。シャッターが下降してから天候が回復しても、そのとき利用者が外出していると、ベランダの日当たりや風通しを確保することができない。
【０００６】
本発明はこのような従来の技術における課題を鑑みてなされたものであり、洗濯物や布団を降雨から守りながら、天候が回復したときには適時日当たりや風通しを確保することにより、様々な天候の変化に対応可能な全天候型居住環境制御システムを提供することを目的とするものである。
【課題を解決するための手段】
【０００７】
上述の目的を達成するために、本発明は次の構成を採用している。本発明の全天候型居住環境制御システムでは、居住空間と外界の境界に雨よけ部材を配置する。雨で濡れるのを避ける洗濯物や布団を置くベランダなどに雨よけ部材の支持部材を固定すればよい。支持部材は、例えば長さの調整により取り外し可能に固定する。雨よけ部材は、開閉可能に配列された複数の長方薄板が配列方向に移動することで収納または引き出される。雨よけ部材は、引き出されたとき、居住空間と外界を二分する。モータのような動力手段で、雨よけ部材の収納や長方薄板の固定角度を操作する。判定手段は降雨状態であるかどうかを判定する。この判定には、降雨量検知手段が検知した降雨量を用いることができる。制御手段は、降雨状態の場合に雨よけ部材を引き出し、降雨状態でない場合に雨よけ部材を収納する。雨よけ部材を引き出して、居住空間への雨滴の侵入を防止することにより、洗濯物や布団を雨から守ることができる。雨がやめば、雨よけ部材は自動的に収納され、利用者が指示を与えなくとも、適時日当たりや風通しを確保することができる。
【０００８】
雨よけ部材は、制御手段がその雨よけ部材の制止を解除することにより、自重で引き出すようにしてもよい。雨よけ部材を自重で引き出すことにより、突然の降雨があっても、迅速かつ円滑に雨よけを行うことができる。
【０００９】
全天候型居住環境制御システムには、風量を検知する風量検知手段も備えることができる。制御手段は、検知された風量がしきい値以上のときには、雨よけ部材を引き出さないようにする。例えば台風や嵐により全天候型居住環境制御システムが破壊されるのを避けることができる。
【００１０】
また制御手段が、雨よけ部材が引き出された状態の場合に、検知された風量に基づいて長方薄板の固定角度を調整するようにしてもよい。長方薄板の固定角度の調整により、雨よけ部材が引き出された状態でも、日差しや風通しを確保することができる。雨が降っているときは、長方薄板の間から洗濯物の方へ雨が入り込まないように長方薄板を途中まで、または完全に閉じるようにしてもよい。
【００１１】
また制御手段は、検知された降雨量から判定手段が降雨の終了を推定しても、雨よけ部材に付着した水の飛散に対する条件が満たされるまで、雨よけ部材を収納しないようにしてもよい。雨がやんでいても雨よけ部材に水が付着したまま雨よけ部材を収納すると、雨よけ部材に付着した水が飛散して洗濯物や布団を濡らすかもしれない。条件が満たされるまで雨よけ部材を収納しなければ、その危険性を抑制することができる。雨よけ部材は、その条件が満たされてすぐ、またはさらに他の条件が満たされてから収納すればよい。
【００１２】
全天候型居住環境制御システムには、日照量を検知する日照量検知手段をさらに備えるようにしてもよい。この場合、制御手段は、雨よけ部材が引き出されているとき、日照量に基づいて雨よけ部材を収納することができる。例えば制御手段は、検知された降雨量から判定手段が降雨の終了を推定したとき日照量がしきい値以上であれば、雨よけ部材を収納する。日照量がしきい値以上になってから雨よけ部材を収納すれば、雨がやんでしばらくしてから再度雨が降るような場合でも、洗濯物や布団などが濡れるのをより確実に回避することができる。
【００１３】
全天候型居住環境制御システムに、降雨量検知手段、風量検知手段、および日照量検知手段を全て備え、制御手段が、判定手段の判定結果、ならびに風量検知手段および日照量検知手段の検知量を基にして、動力手段の制御を行い居住空間への雨滴の侵入を防止するとともに、居住空間に対する風量と日照量の制御を行うようにしてもよい。
【００１４】
また、上下方向の異なる位置に降雨量検知手段を複数備えるようにしてもよい。この場合、制御手段は、各降雨量検知手段が検知した降雨量に基づいて雨よけ部材を引き出す量または収納する量を制御する。これにより、雨よけに必要な量だけ雨よけ部材が引き出されたり、収納されたりする。
【００１５】
さらに制御手段は、長方薄板の固定角度を各降雨量検知手段が検知した降雨量に基づいて制御するようにしてもよい。これにより、洗濯物の方へ雨が入り込まないところにある一部の長方薄板だけ開いて風通しを確保することができる。
【００１６】
また、制御手段は、雨よけ側での風の流れに基づいて定めた角度に長方薄板の固定角度を調整することができる。長方薄板の固定角度を一律にせず雨よけ側での風の流れに基づいて定めた角度に調整することで、雨よけ側で適当な風の流れを得ることができる。
【００１７】
さらに、長方薄板の間から雨よけ側へ入る風の向きが下斜め方向となる角度に長方薄板の固定角度が調整されている場合でも長方薄板の間から雨よけ側へ雨が入り込まない領域にある長方薄板を指定するようにしてもよい。例えばベランダであれば、そのベランダ周辺の壁によって雨が入り込まない領域があることが多い。長方薄板の間から雨よけ側へ入る風の向きが下斜め方向となる角度に長方薄板の固定角度が調整されていると、長方薄板の間から雨よけ側へ雨が入り込み易いが、その領域ではその心配がほとんどない。このような領域にある長方薄板が指定されているとき、制御手段は、引き出された状態の雨よけ部材の長方薄板のうち指定された長方薄板についてその角度に固定角度を調整するとともに、雨よけ側から長方薄板の間を通じて出る風の向きが下斜め方向となる角度に、指定された長方薄板よりも下側にある長方薄板の固定角度を調整する。長方薄板の固定角度をこのように調整することにより、長方薄板の間を通じて雨が入り込まない状態で、雨よけ部材の上側から入って下側から出る風の向きを得易くなる。そのため、雨が降っている間でも、ベランダ内で適当な風通しを確保することができる。
【００１８】
また、制御手段は、複数の雨よけ部材を用いて同じ場所の雨よけが行われる場合について雨よけと風通しから定めた角度に各雨よけ部材の長方薄板の固定角度を調整するようにしてもよい。ベランダ周辺の壁により雨が入り込まない領域がなくても、複数の雨よけ部材を同じベランダの雨よけのために用いるのであれば、雨よけと風通しを両立し易い。例えば一番外側の雨よけ部材で雨よけを行えば、それよりも内側の雨よけ部材は、外側の雨よけ部材に対する長方薄板の固定角度に対応して長方薄板の固定角度を調整することで、風通しを確保すればよい。
【００１９】
また、雨よけ部材の長方薄板の素材に透明または半透明の素材を用いることで、雨よけ部材を引き出しているときでも、雨よけ側に光を入れることができる。
【００２０】
また、洗濯物が雨よけ側に配置されているか否かを検知する検知手段とユーザが外出しているか在宅しているかを判別する在宅判別手段とを全天候型居住環境制御システムに備えるようにしてもよい。この場合、制御手段は、洗濯物が雨よけ側に配置されユーザが外出している場合に限り、雨よけ部材を引き出す。洗濯物やその他の物が雨よけ側に配置されていなければ、それを雨から守る必要はなくなる。また利用者が外出していなければ、雨が降ってきたとき、洗濯物を室内に取り込むことができるので、全天候型居住環境制御システムが洗濯物を雨から守る必要性は低くなる。これに対し、洗濯物が雨よけ側に配置されているのに利用者が外出しているときには、全天候型居住環境制御システムが洗濯物を雨から守る必要性が高い。このように必要性の高いときに雨よけ部材を引き出すことで無駄を減らすことができる。
【００２１】
さらに、ユーザが在宅している場合に、判定手段が降雨状態の判定をしたとき、そのユーザに降雨を通知する手段をさらに備えるようにしてもよい。これにより、在宅しているユーザが確実に降雨を気づくので、雨よけ部材を引き出す必要性をさらに低くすることができる。
【００２２】
また、電気通信回線を通じ携帯電話やサーバのような外部装置からの情報を取得する取得手段を全天候型居住環境制御システムにさらに備えるようにしてもよい。この場合、制御手段は、判定手段が降雨量検知手段の検知した降雨量から降雨の終了を推定したとき、取得された情報により雨よけ部材を収納する許可が与えられていれば、雨よけ部材を収納する。これにより、ユーザの意図を判定に反映することが可能になる。
【００２３】
外部装置からの情報を適時得るために、降雨の終了の推定があったことの通知を外部装置に送信する手段をさらに備えるようにしてもよい。制御手段は、通知の送信がされてから、その通知を送信した外部装置から雨よけ部材を収納する許可を与える情報が取得されると、雨よけ部材を収納する。
【００２４】
外部装置からの情報を取得するときに、取得手段は、雨よけ部材の識別情報または設置地域の識別情報をその外部装置に送信するようにしてもよい。この場合、その識別情報または設置地域に対応する情報を外部装置から取得することができる。
【００２５】
また、電気通信回線を通じ別の全天候型居住環境制御システムからその全天候型居住環境制御システムの検知した降雨量または判定の結果を取得する手段を全天候型居住環境制御システムに備えるようにしてもよい。別のシステムから取得した降雨量または判定の結果にも基づいて判定を行うことで、その判定をより的確なものにすることができる。
【００２６】
また、電気通信回線を通じ気象予報情報を取得する取得手段を全天候型居住環境制御システムに備えることもできる。制御手段は、判定手段が降雨量検知手段の検知した降雨量から降雨の終了を推定したとき、取得された気象予報情報が設定条件を満たしていれば、雨よけ部材を収納する。気象予報情報を判定に用いることにより、一時的に雨がやんでいるような場合に雨よけ部材を余計に収納してしまう可能性を抑制することができる。気象予報情報は、サーバから取得してもよいし、家電機器または家電機器に接続されたホームサーバから取得するようにしてもよい。
【００２７】
また、家電機器または家電機器の接続されたホームサーバから家電機器の動作または設定を示す情報を取得する取得手段を全天候型居住環境制御システムに備えるようにしてもよい。制御手段は、取得した情報にも基づいて雨よけ部材の収納または引き出しを制御する。これにより家電機器の稼働状況に応じた適当な制御を行うことができる。例えば取得手段は、洗濯または乾燥の終了に関する情報を洗濯または乾燥を行う機器から取得する。この場合、制御手段は、洗濯または乾燥を行う機器から取得した情報に基づいて、雨よけ部材を引き出す予定時刻を決定する。そして、決定した予定時刻から次に雨よけ部材を収納するまでの間は、引き出された雨よけ部材の長方薄板の固定角度を調整して長方薄板を開けるか閉じるかの制御のみを行う。これにより、洗濯物を干している途中に急に降雨があったような場合でも雨よけ部材の長方薄板を閉じるだけで洗濯物が雨で濡れるのを避けることができる。洗濯物が干されていない場合に長時間雨よけ部材を引き出しておく必要もない。
【００２８】
また、降雨の予測時刻を特定する手段を全天候型居住環境制御システムに備えるようにしてもよい。制御手段は、特定された時刻までに判定手段が降雨状態の判定をしなければ、その時刻に雨よけ部材を引き出す。このように雨よけ部材を引き出すことにより、常時雨よけ部材を引き出していなくても、降雨のありそうなときは、その降雨よりも前に雨よけ部材を引き出すことができる。このため、洗濯物や布団が濡れるのをより確実に防ぐことができる。
【発明の効果】
【００２９】
以上のような構成を採用することにより、本発明では、降雨時には洗濯物や布団が雨で濡れるのを防ぐことができ、雨がやめば、適時日当たりや風通しを自動的に確保することができるなど、天候の変化にも柔軟に対応することができる。
【発明を実施するための最良の形態】
【００３０】
以下、添付図面を参照して本発明の実施の形態について説明する。
（第１の実施の形態）  図１および図２に示すように、本実施の形態における全天候型居住環境制御システムＡ１は、ベランダ１０００に設置されている。そのベランダ１０００の腰壁１００１には竿掛け１００２が固定されており、この竿掛け１００２上に物押し竿１００３が置かれている。物干し竿１００３に掛けたハンガー１００４に洗濯物１００５を干している。全天候型居住環境制御システムＡ１は、このようにベランダ１０００で干されている洗濯物１００５が雨で濡れるのを避けるために用いられる。
【００３１】
雨よけ部材１が、腰壁１００１と建物の側壁１００６との間を通じて外界からベランダ１０００に入る雨で洗濯物１００５が濡れるのを妨げる。雨よけ部材１は、長方薄板１０１をその長方薄板１０１の短手方向Ｙ１に複数配列したものであり、各長方薄板１０１は紐状の部材１０２で連結されている。長方薄板１０１の長手方向の長さは、ここではそのベランダ１０００の半分程度であり、ベランダ１０００外から見ると、ベランダ１０００に面した２組のガラス戸１００７のうち１組のガラス戸１００７を雨よけ部材１はほぼ覆う。
【００３２】
雨よけ部材１は、例えば２本の支持部材２で支持される。この実施の形態では、各支持部材２は、その支持部材２が上下方向に向けられるとき下側になる筒状の支持柱２０１と上側になる筒状の支持柱２０２とを備えている。支持柱２０１と支持柱２０２との内部には両者を連結する連結柱２０３が挿入されている。支持柱２０１および２０２の連結柱２０３側の端部にはネジ山が切られており、そのネジ山に対応するネジ溝を内面に有する回転部材２０４および２０５がその端部にそれぞれ嵌められている。回転部材２０４または２０５を締める方向に回すと、回転部材２０４または２０５は支持柱２０１または２０２の反対側へ進み、回転部材２０４または２０５を外す方向に回すと、逆方向に進む。支持柱２０１または２０２のネジ山部には、外面側から押圧することにより内側の連結柱２０３を係止する部材が設けられており、回転部材２０４または２０５を締める方向に完全に回したとき、支持柱２０１または２０２と連結柱２０３が係止される。その係止がないときには、支持柱２０１または２０２を連結柱２０３に沿って移動させることができ、支持部材２の長さ全体を調整することができる。支持柱２０１または２０２の回転部材２０４または２０５とは逆側の端部には支持柱２０１または２０２の断面よりも広い接触面積を有する接触部２０６または２０７が設けられている。両接触部２０６および２０７がベランダ１０００の天井１００８および床面１００９にそれぞれ接触するまで支持部材２を伸ばした上で、支持柱２０１および２０２を連結柱２０３に係止すると、ベランダ１０００で支持部材２を上下方向に立てて固定することができる。例えばこのようにネジ止めなどの工事なしに支持部材２を固定すれば、ベランダ１０００が共用スペースであるようなときでも全天候型居住環境制御システムＡ１を設置するのが容易になる。
【００３３】
ベランダ１０００に固定される２つの支持部材２の間で軸２０８が回転可能に支持されている。この軸２０８には別の紐状の部材１０３が巻かれている。その部材１０３は、雨よけ部材１の各長方薄板１０１に挿通されており、その一端が雨よけ部材１のボトム板１０４に接続され、他端は巻き取り軸に接続されている。巻き取り軸はモータ３が駆動する駆動軸と連結される。そのモータ３などを覆う筐体は支持柱２０１の接触部２０７に連結されており、その筐体の下面は接触部２０７の接触面とで連続した平面を構成する。その筐体は、支持部材２が上下方向に立っていれば床面１００９上に配置され、モータ３の重量は支持部材２が立っている状態を保持するのに寄与する。
【００３４】
軸２０８とは同心で別個に回動可能な円筒部材２０９には、各長方薄板１０１を連結している部材１０２が接続されている。この円筒部材２０９と軸２０８はカバー２１０で保護されている。円筒部材２０９は、駆動軸と連結される巻き取り軸と紐状の部材１０５により接続されている。部材１０３および１０５の巻き取り軸のうち少なくとも一方が駆動軸に連結される。
【００３５】
部材１０３の巻き取り軸が駆動軸に連結されているときモータ３が回転し部材１０３が巻き取られると、ボトム板１０４が上昇する。ボトム板１０４の上昇により長方薄板１０１は配列方向Ｙ１に移動し、図２Ｃに示すように雨よけ部材１は収納される。雨よけ部材１が収納されると、モータ３は停止する。雨よけ部材１を引き出すときには、収納された雨よけ部材１の制止を解除する。この制止は、収納された雨よけ部材１のボトム板１０４を係止したり、巻き取り軸を固定したりすることで行うことができる。
【００３６】
部材１０３および１０５の巻き取り軸が固定されているとき、雨よけ部材１は、巻き取り軸が固定されたときの状態で、部材１０２および１０３や軸２０８、円筒部材２０９を介して支持部材２により支持される。
【００３７】
雨よけ部材１の制止が解除され、紐状部材１０３が引き出されると、図２Ａに示すように雨よけ部材１は引き出される。このとき、雨よけ部材１はベランダ１０００のような居住空間と外界とを二分する。
【００３８】
この実施の形態のように支持部材２が上下方向に配置されている場合、その解除により、ボトム板１０４が錘となってその自重により落下する。雨よけ部材１は、ボトム板１０４の落下に伴って引き出される。雨よけ部材１の自重を利用することにより、迅速に雨よけ部材１を引き出すことができる。雨よけ部材１の自重を利用する代わりに、モータ３を逆方向に回転させることで紐状部材１０３を引き出すようにしてもよい。雨よけ部材１が引き出されたとき、図２Ａに示すようにベランダのほぼ半分を雨よけ部材１が覆い、その部分に置かれた洗濯物が濡れるのを妨げる。
【００３９】
また、雨よけ部材１の各長方薄板１０１は開閉可能である。部材１０５の巻き取り軸が駆動軸に連結されているときモータ３が回転すると円筒部材２０８は円周方向Ｙ２に適当な量だけ回動し、部材１０２は方向Ｙ１に移動する。これにより、各長方薄板１０１は方向Ｙ３に開閉する。図２Ａは各長方薄板１０１が完全に閉じた状態を示し、図２Ｂは完全に開いた状態を示す。
【００４０】
センサ４は降雨を検知する。このセンサ４には、表面に形成された電極間に水滴が付着したときに流れる電流に基づいて検知を行うものやその他の感雨センサ、雨量計を用いることができる。降雨の有無や降雨量によってセンサ４の出力が変化する。
【００４１】
センサ４の出力は演算制御装置５に有線または無線で接続される。この実施の形態では、全天候型居住環境制御システムＡ１のうち演算制御装置５はベランダ１０００ではなく部屋１０１０内に配置されている。演算制御装置５は、無線通信ユニットを用いてモータ３やセンサ４などに対し入出力を行う。演算制御装置５の電源には商用電源を用いることができ、モータ３やセンサ４など雨よけ部材１側のデバイスの電源にも商用電源を用いてもよい。太陽電池１０１１や充電池を利用することにより、室内へ電源コードを導入する必要をなくしてもよい。省電力のため、待機時にはセンサ４や一部の回路にのみに電力を与えておく。
【００４２】
図３に示すように、演算制御装置５には無線通信ユニット５０１の他、ＣＰＵ５０２（Ｃｅｎｔｒａｌ  Ｐｒｏｃｅｓｓｉｎｇ  Ｕｎｉｔ）やＲＡＭ５０３（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）５０４など汎用コンピュータと同様のハードウェアが備えられている。ＣＰＵ５０２は無線ユニット５０１を通じてセンサ４の出力を得たり、モータ３に指令信号を与えたりすることができる。
【００４３】
またＲＯＭ５０４は、演算制御装置５を用いて本実施の形態における全天候型居住環境制御システムの機能を実現するためのプログラムや設定データを格納している。このＲＯＭ５０４には電気的に書き換え可能なフラッシュメモリを用いることができる。演算制御装置５のＣＰＵ５０２は、始動時にＲＯＭ５０４からＲＡＭ５０３にそのプログラムを読み出す。そして、そのプログラムの指令および設定データに従って、この実施の形態における全天候型居住環境制御システムＡ１の機能を実現する。図４は全天候型居住環境制御システムの機能ブロック図である。
【００４４】
プログラムの指令および設定データに従うことにより、演算制御装置５は判定手段６および制御手段７として機能する。判定手段６は、降雨状態であるかどうかを判定する。この判定には、センサ４の出力を用いることができる。制御手段７は、降雨状態の場合に雨よけ部材１を引き出すためその制止を解除し、降雨状態でない場合に雨よけ部材１を収納するためにモータ３を制御する。この判定や制御の機能を実現するのにＣＰＵ５０２を用いることができる。
【００４５】
例えばセンサ４の出力からＣＰＵ５０２は降雨状態を判定する。降雨状態の場合、ＣＰＵ５０２は雨よけ部材１の制止を解除する信号をモータ３の駆動回路に送り、駆動回路はその指示に従い制止を解除する。この実施の形態では、制止が解除されると、ボトム板１０４が自重で落下し、それに伴って雨よけ部材１が引き出される。通常、制御手段７は引き出された雨よけ部材１の長方薄板を閉じた状態にする。この制御を行う場合もＣＰＵ５０２は駆動回路に指令信号を与え、各長方薄板１０１を方向Ｙ３に回動させる。一方、センサ４の出力に基づいて降雨が終了したことを推定すると、ＣＰＵ５０２は引き出された雨よけ部材１を収納するためにモータ３の駆動回路に指令信号を与える。
【００４６】
このように雨が降ると雨よけ部材１が引き出されて、ベランダ１０００のような居住空間への雨滴の侵入を防止することにより、ベランダ１０００の洗濯物１００５を雨から守ることができる。雨がやめば、モータ３の駆動により雨よけ部材１は収納され、利用者が指示を与えなくとも、適時日当たりや風通しを確保することができる。様々な天候の変化に柔軟に対応することで、最適な居住環境を利用者に提供することができる。
【００４７】
なお、雨がやんでも、引き出された雨よけ部材１にはしばらく雨滴が付着している。雨よけ部材１を収納するときにこの雨滴が雨よけ部材１から洗濯物１００５に飛散すると、その洗濯物が濡れてしまう。そこで制御手段７は、判定手段６が降雨の終了を推定しても、雨よけ部材１に付着した水の飛散に対する条件が満たされるまで、雨よけ部材１を収納しないようにしてもよい。水の飛散に対する条件は、単純には降雨の終了が推定されてから予め設定された時間が経過するという条件である。このような条件は、例えばＲＯＭ５０４に設定データとして記憶される。ＣＰＵ５０２はセンサ４の出力から降雨の終了を推定すると、このデータをＲＯＭ５０４から読み出し、そのデータに記述された設定時間が経過してから、そのときセンサ４の出力が降雨を示していなければ、雨よけ部材１を収納する制御を行う。このような条件が満たされるまで雨よけ部材１を収納しなければ、雨よけ部材１から洗濯物に水滴が飛散する恐れを軽減することができる。
【００４８】
また、この実施の形態における演算制御装置５は、ＣＰＵ５０２などの他、ＮＩＣ（Ｎｅｔｗｏｒｋ  Ｉｎｔｅｒｆａｃｅ  Ｃａｒｄ）５０５も備えている。このＮＩＣ５０５は、図３に示すようにインターネットのような電気通信回線８を通じてサーバ９に接続されている。サーバ９は、気象予報情報を提供する。ＮＩＣ５０５をプログラムとサーバ９との通信に用いることで、気象予報情報を取得する取得手段１０をさらに実現することができる。取得手段１０により取得された気象予報情報は、制御手段７が利用する。制御手段７は、判定手段６がセンサ４の出力から降雨の終了を推定したとき、取得された気象予報情報が設定条件を満たしていれば、雨よけ部材１を収納する。センサ４の出力から降雨の終了を推定したとき、取得された気象予報情報がその設定条件を満たしていなければ、雨よけ部材１を収納しない。
【００４９】
例えばＣＰＵ５０２は設定データに従って定期的にサーバ９に情報を要求し、その要求に対応してサーバ９から受信した気象予報情報をＲＡＭ５０３に格納する。センサ４の出力から降雨の終了を推定すると、ＲＡＭ５０３に記憶された最新の気象予報情報を参照する。気象予報情報は、所定の時間帯やその日、その次の日、その週など将来の時間とその時間における天気や降水確率を示すデータを含む。この気象予報情報に対する設定条件は、降雨の終了が推定されてからの降雨の危険性を評価するための条件である。降雨の終了が推定されてからの予想天気が晴れや曇りであれば設定条件は満たされ、予想天気が雨や雪であれば設定条件は満たされない。また降雨の終了が推定されてからの降水確率が例えば５０％以下であれば設定条件は満たされ、５０％よりも大きければ設定条件は満たされない。降雨の終了を推定したときには設定条件が満たされていなくても、そのときから時間が経過して設定条件が満たされれば、そのときも降雨がないことを条件にＣＰＵ５０２は雨よけ部材１を収納する。
【００５０】
このように気象予報情報を用いることにより、一時的に雨がやんでいるような場合に雨よけ部材１が収納されたために洗濯物が濡れる危険性を抑制することができる。
【００５１】
さらにサーバ９に気象予報情報を要求するときには、その全天候型居住環境制御システムＡ１の設置地域の識別情報も送信するようにしてもよい。サーバ９はその識別情報に対応する設置地域の気象予報情報を全天候型居住環境制御システムＡ１に送信する。この場合の制御はその設置地域に対応する気象予報情報を用いて行われる。サーバ９が様々な地域の気象予報情報をまとめて全天候型居住環境制御システムＡ１に提供する場合には、その全天候型居住環境制御システムＡ１の設置地域の識別情報を用いて当該地域の気象予報データを選択する。制御にはその選択された気象予報データが用いられる。またサーバ９が、登録された全天候型居住環境制御システムＡ１の識別情報と設置地域とを関連付けるテーブルを備えている場合には、そのサーバ９に気象予報情報を要求するときに、その全天候型居住環境制御システムＡ１の識別情報を送信するようにしてもよい。サーバ９は、受信した識別情報とそのテーブルを参照することで、その全天候型居住環境制御システムＡ１が設置された地域の気象予報情報をその全天候型居住環境制御システムＡ１に送信することができる。このように全天候型居住環境制御システムＡ１の設置地域に対応する気象予報情報を利用すれば、一時的に雨がやんでいるような場合に雨よけ部材１が収納されたために洗濯物が濡れる危険性をより確実に抑制することができる。
【００５２】
またＮＩＣ５０５はサーバ９と演算制御装置５とを接続する代わりに、図５に示すように家電機器１１と演算制御装置５とをホームネットワーク１２を介して接続するためにも用いることができる。この例では、家電機器１１はデジタル放送を受信するテレビジョン受像機である。このテレビジョン受像機は情報家電機器としてホームネットワークに接続された他の機器とデータ通信を行う機能を有している。放送局１３からの放送データに気象予報情報が含まれていると、その放送データを受信したテレビジョン受像機は演算制御装置５に気象予報情報の受信を通知する。家電機器１１からこの通知を受信すると、ＣＰＵ５０２はその気象予報情報の送信要求を家電機器１１に送信し、家電機器１１からその気象予報情報を取得する。このように家電機器１１と演算制御装置５とを接続することにより、家電機器１１からも気象予報情報を取得することができる。家電機器１１が演算制御装置５に気象予報情報の受信要求を送信する場合でも、演算制御装置５が気象予報情報を取得することは可能である。さらに家電機器１１に気象予報情報を蓄積しておき、ＣＰＵ５０２が制御を行うときに、蓄積された気象予報情報を家電機器１１から全天候型居住環境制御システムＡ１へ取得するようにしてもよい。また家電機器１１はデジタル放送や文字放送を受信するセットトップボックスであってもよく、さらに家電機器１１がホームサーバ１４に接続されているような場合には、家電機器１１からホームサーバ１４に送信され蓄積された気象予報情報をそのホームサーバ１４から演算制御装置５が取得するようにしてもよい。
【００５３】
（第２の実施の形態）  この実施の形態における全天候型居住環境制御システムＡ２は、図６に示すように、降雨を検知するセンサ４に加えて、風量または風速を検知するセンサ１５も備えている。このセンサ１５の出力も無線通信で演算制御装置５に送信される。演算制御装置５のハードウェアには図３で例示したものを用いることができる。
【００５４】
演算制御装置５のＣＰＵ５０２がプログラムの指令および設定データに従って処理を行うことで、この実施の形態でも、演算制御装置５は判定手段６および制御手段７として機能する。演算制御装置５がＮＩＣ５０５を有していれば、第１の実施の形態と同様に取得手段１０も実現するようにしてもよい。
【００５５】
ここでは、制御手段７は、検知された風量がしきい値以上のときには雨よけ部材１を引き出さない。風量のしきい値は例えばＲＯＭ５０４に設定データとして記憶されている。ＣＰＵ５０２は、センサ４の出力に基づいて雨よけ部材１を引き出すか収納するかの判定を行うとき、ＲＯＭ５０４からしきい値を読み出し、読み出したしきい値とセンサ１５の出力とを比較する。センサ１５の出力が示す風量がしきい値よりも小さければ、センサ４の出力が降雨を示しているとき、ＣＰＵ５０２は雨よけ部材１を引き出す制御を行う。これに対し、センサ１５の出力が示す風量がしきい値以上であれば、センサ４の出力が降雨を示していても、ＣＰＵ５０２は雨よけ部材１を引き出さない。既に雨よけ部材１が引き出されている場合には、雨よけ部材１を収納するようにしてもよい。
【００５６】
このような制御により、嵐や台風のときに雨よけ部材１が引き出されたり、雨よけ部材１が引き出されたままになったりするのを避けることができる。
【００５７】
センサ４の出力が降雨を示しているけれども検知された風量がしきい値以上のとき、制御手段７がスピーカなどを用いてそのことをユーザに知らせるようにしてもよい。これによりユーザは必要に応じて洗濯物を取り込んだり、嵐や台風に備えたりすることができる。
【００５８】
このように嵐や台風に備えるためだけでなく、センサ１５の出力は、雨よけ部材１が引き出されている場合に、検知された風量に基づいて長方薄板１０１の固定角度を調整するためのモータ３の制御を制御手段７が行うためにも利用することができる。
【００５９】
制御の内容は設定データとしてＲＯＭ５０４に格納しておくことができる。例えばＣＰＵ５０２はセンサ１５の出力が示す風量が小さければ、長方薄板１０１を開ける指令信号をモータ３の駆動回路に与え、長方薄板１０１を適当に開ける。センサ１５の出力が示す風量が大きくなれば、長方薄板１０１を閉じる制御を行う。この場合、風が強くなって長方薄板１０１と長方薄板１０１の隙間から雨がベランダ１０００に入り込むのを防ぐことができ、また風が弱い間は雨が降っていても風通しを確保することができる。
【００６０】
さらに降雨量および風量の分布に対応して雨よけ部材１を引き出すか収納するかを制御したり、長方薄板１０１の固定角度を調整したりするようにしもてよい。
【００６１】
またセンサ１５に代えてまたは加えて、日照量を検知するセンサ１６を全天候型居住環境制御システムＡ２に備えるようにしてもよい。制御手段７は、雨よけ部材１が引き出されている場合に、日照量に基づいて雨よけ部材１を収納する制御を行う。
【００６２】
例えば日照量に対するしきい値が設定データとしてＲＯＭ５０４に予め記憶される。ＣＰＵ５０２は、雨よけ部材１が引き出されている場合に、センサ１６の出力が示す日照量としきい値とを適時比較する。日照量がしきい値よりも小さければ、センサ４の出力から降雨の終了を推定していても、ＣＰＵ５０２は引き出された雨よけ部材１を収納する判定を行わない。この場合、雨よけ部材１は引き出されたままになる。日照量がしきい値以上であれば、センサ４の出力から降雨の終了を推定したとき、引き出された雨よけ部材１を収納する判定を行う。
【００６３】
このように日照量がしきい値以上になってから、引き出された雨よけ部材１を収納する判定を行えば、雨がやんでしばらくしてから再度雨が降るような場合でも、洗濯物が濡れるのをより確実に回避することができる。
【００６４】
（第３の実施の形態）  第１の実施の形態では、外部装置から気象予報情報を取得した。第３の実施の形態における全天候型居住環境制御システムＡ３では、家電機器１１からその家電機器１１の動作または設定を示す情報を取得手段１０が取得する。
【００６５】
図７に示すように、この実施の形態における全天候型居住環境制御システムＡ３の演算制御装置５も家電機器１１に接続されている。この例では、家電機器１１として乾燥洗濯機がホームネットワーク１２を介して演算制御装置５に接続されている。この乾燥洗濯機は、ユーザから与えられた指示に従い、洗濯、乾燥またはその両方を行う他、情報家電機器としてホームネットワーク１２に接続された他の機器とデータ通信を行う機能を有している。
【００６６】
家電機器１１からその家電機器１１の動作または設定を示す情報を取得するため、演算制御装置５のハードウェアとして図３で例示したものを用いることができる。例えば洗濯乾燥機に洗濯の実行の指示がユーザから与えられたとき、その洗濯乾燥機は洗濯を完了すると、洗濯が完了したという動作に関する通知を演算制御装置５に送信する。演算制御装置５がＮＩＣ５０５を用いてこの通知を受信すると、プログラムの指令および設定データに従い、ＣＰＵ５０２は設定データに基づいてベランダ１０００に洗濯物１００５が置かれる時刻を予想する。単純には予想時刻は通知の受信時に適当な期間を加算することにより得ることができる。予想時刻を決定すると、雨よけ部材１を引き出す予定時刻としてその時刻を設定する。洗濯乾燥機で洗濯が完了してから予定時刻になると、ＣＰＵ５０２はセンサ４の出力に基づいて降雨がないと推定しているときでも、雨よけ部材１を引き出す判定を行う。雨よけ部材１を引き出す判定を行ってから次に雨よけ部材１を収納する判定を行うまでの間は、ＣＰＵ５０２は引き出された雨よけ部材１の長方薄板１０１を開けるか閉じるかの制御を行う。長方薄板１０１の開閉の制御はセンサ４の出力に基づいて行う。その間に雨が降らなければ、引き出された雨よけ部材１の長方薄板１０１を開ける判定を行い、その間に雨が降れば、雨よけ部材１の長方薄板１０１を閉じる判定を行う。ＣＰＵ５０２は、その間の判定の結果に基づいて長方薄板１０１の固定角度を調整するためのモータ３の制御を行う。モータ３がその制御に従って動作することにより、雨が降っていなければ長方薄板１０１は開けられ、雨が降っていれば長方薄板１０１は閉じられる。
【００６７】
このような制御を行う場合、洗濯物１００５をベランダ１０００に干すときには雨よけ部材１が引き出されており、洗濯物を干している途中に急に降雨があっても長方薄板１０１を閉じるだけで洗濯物が雨で濡れるのを避けることができる。洗濯物１００５がベランダ１００５に干されていない場合に長時間雨よけ部材１を引き出しておく必要もない。雨が降っていなければ、長方薄板１０１は開けられるので日差しや風通しを確保することができる。
【００６８】
雨よけ部材１が引き出されてから適当な時間が経過すると、ＣＰＵ５０２はセンサ４の出力に基づいて雨よけ部材１を引き出すか収納するかの判定を行う。そのとき雨が降っておらず、他の条件が満たされていれば、ＣＰＵ５０２は雨よけ部材１を収納する判定を行う。
【００６９】
洗濯が完了する以前から雨が降っていれば、センサ４の出力に基づいて雨よけ部材１を引き出す制御が行われている。予定時刻に既に雨よけ部材１が引き出されていれば、雨よけ部材１を引き出す制御を行う必要はない。
【００７０】
この例では、乾燥洗濯機での洗濯の完了に基づいて判定または制御を行ったが、これに限られるものではない。洗濯の後に行われた乾燥の完了の通知、乾燥のみが行われた場合のその乾燥の完了の通知に基づいて判定を行うようにしてもよい。さらに、乾燥の有無や乾燥時間のような家電機器１１の設定を示す情報を取得してその情報を判定に利用することもできる。乾燥が行われない場合にのみ予定時刻を決定したり、乾燥時間がしきい値よりも短い場合にのみ予定時刻を決定したりするようにしてもよい。
【００７１】
また、家電機器１１から取得したその家電機器の動作または設定を示す情報は他の形で判定に利用することもできる。例えばセンサ４の出力に基づいて雨よけ部材１を引き出すか収納するかの判定を行う場合に、所定時間以前からそのときまでに洗濯が行われていなければ、雨よけ部材１を引き出さないようにすることもできる。これにより、ベランダ１０００に干された洗濯物１００５を雨から守る必要がないときに、雨よけ部材１が余計に引き出されてしまうのを避けることができる。
【００７２】
（第４の実施の形態）  制御や判定に利用する情報は、他の全天候型居住環境制御システムから取得するようにしてもよい。図８に示すように、この実施の形態では複数の全天候型居住環境制御システムＡ４およびＡ５が電気通信回線８を通じて互いに接続されている。全天候型居住環境制御システムＡ４またはＡ５は同じ地域に設置されることもあれば、異なる地域に設置されることもある。この実施の形態では、全天候型居住環境制御システムＡ４の取得手段１０が、別の全天候型居住環境制御システムＡ５からその全天候型居住環境制御システムＡ５のセンサ４の出力およびその全天候型居住環境制御システムＡ５の設置地域の識別情報を取得する。
【００７３】
別の全天候型居住環境制御システムＡ５からセンサ４の出力およびその全天候型居住環境制御システムＡ５の設置地域の識別情報を全天候型居住環境制御システムＡ４が取得するため、全天候型居住環境制御システムＡ４およびＡ５の演算制御装置５のハードウェアとして図３で例示したものを用いることができる。ここでは、全天候型居住環境制御システムＡ４またはＡ５の設定データに、設置地域の識別情報毎にその設置地域の隣接地域の識別情報を示すデータが含まれる。このデータは、隣接地域に限らず、設置地域と天候上関連する地域の識別情報を示すデータであればよい。
【００７４】
全天候型居住環境制御システムＡ４のＣＰＵ５０２が雨よけ部材１を引き出すか収納するかの判定を行うとき、ＣＰＵ５０２はプログラムの指令に従い、電気通信回線８を通じて接続された全天候型居住環境制御システムから各全天候型居住環境制御システムの設置地域の識別情報を取得する。各全天候型居住環境制御システムから設置地域の識別情報を取得すると、その識別情報が自装置の設置地域に対応するデータに含まれるか否かを判定する。別の全天候型居住環境制御システムからの識別情報が自装置の設置地域に対応するデータに含まれている場合、ＣＰＵ５０２は別の全天候型居住環境制御システムが隣接地域または関連地域にあると判定し、その他の場合、別の全天候型居住環境制御システムが隣接地域または関連地域にないと判定する。この判定が終了すると、ＣＰＵ５０２は隣接地域または関連地域にあると判定した全天候型居住環境制御システムＡ５に、その全天候型居住環境制御システムＡ５が有するセンサ４の出力を示すデータを送信するよう要求する。要求先の全天候型居住環境制御システムＡ５からその全天候型居住環境制御システムＡ５のセンサ４の出力を示すデータを受信すると、そのデータも用いて降雨状態であるかどうかの判定を行う。自装置Ａ４のセンサ４の出力に基づいた判定では降雨状態ではなくても、別装置Ａ５のセンサ４の出力に基づいた判定では降雨状態である場合、ＣＰＵ５０２は雨よけ部材１を収納しないようにすることができる。自装置Ａ４が設置された地域よりも先に天候が変動する地域で雨が降っていれば、自装置Ａ４の設置地域で雨がやんでいても再度雨が降る可能性が高い。そのような場合でも、異なる地域に設置された全天候型居住環境制御システムＡ５のセンサ４のデータを用いることにより、雨よけ部材１を余計に収納してしまうのを回避することができる。
【００７５】
また、異なる地域に設置された全天候型居住環境制御システムのセンサ４のデータを利用する代わりに、またはそれに加えて同一地域に設置された全天候型居住環境制御システムのセンサ４のデータを利用するようにしてもよい。同一地域に設置された全天候型居住環境制御システムのセンサ４のデータは、例えば自装置Ａ４のセンサ４のデータと平均して判定に利用する。平均したデータを用いることにより、誤判定の危険性を抑制することが可能となる。
【００７６】
また、この例では、別装置Ａ５のセンサ４のデータを利用したが、別装置Ａ５の判定の結果を利用するようにしてもよい。その場合、自装置Ａ４のＣＰＵ５０２は雨よけ部材１を引き出すか収納するかの判定を行うときに、降雨状態であるかどうかの判定の結果を別装置Ａ５に送信するよう要求する。別装置Ａ５はその要求を受信すると、その装置Ａ５が有するセンサ４のそのときの出力に基づいて判定を行い、その結果を要求元に送信する。別装置Ａ５から判定結果を受信した全天候型居住環境制御システムＡ４がその結果を制御に利用することにより、別装置Ａ５のセンサ４の出力を利用する場合と同様、余計な制御を回避したり誤った制御を抑制したりすることが可能となる。さらに別装置Ａ５での判定結果を利用する場合、別装置Ａ５のセンサ４の出力を利用する場合と較べて通信量を抑制することもできる。
【００７７】
さらにこの例では、全天候型居住環境制御システムＡ４が隣接地域または関連地域に設置された別の全天候型居住環境制御システムを検索した。この検索は、電気通信回線８に接続された検索サーバ１７が行うようにしてもよい。この場合、全天候型居住環境制御システムＡ４のＲＯＭ５０４には設定データとして検索サーバ１７の通信アドレスが予め記憶される。全天候型居住環境制御システムＡ４のＣＰＵ５０２は、この通信アドレスを用いて、隣接地域または関連地域に設置された別の全天候型居住環境制御システムの検索要求を検索サーバ１７に送信する。この要求を行う際、全天候型居住環境制御システムＡ４が設置された地域の識別情報が検索サーバ１７に送信される。検索サーバ１７は、検索要求を受信すると、予め登録された全天候型居住環境制御システムから、要求元の全天候型居住環境制御システムＡ４が設置された地域の隣接地域または関連地域に設置された全天候型居住環境制御システムを検索する。検索サーバ１７は、検索した全天候型居住環境制御システムの通信アドレスを特定し、特定した通信アドレスを要求元の全天候型居住環境制御システムＡ４へ送信する。全天候型居住環境制御システムＡ４は、検索サーバ１７から受信した通信アドレスに基づいて検索された全天候型居住環境制御システムと通信を行い、その全天候型居住環境制御システムからセンサ４の出力を取得する。このとき、必要であれば、全天候型居住環境制御システムＡ４が検索された全天候型居住環境制御システムの設置地域の識別情報も取得するようにしてもよい。このように検索サーバ１７を利用することでも、全天候型居住環境制御システムＡ４で全天候型居住環境制御システムＡ５のセンサ４の出力に基づいて判定を行うことができる。
【００７８】
（第５の実施の形態）  外出しているユーザが自宅付近では雨が降っていることを知っているとき、そのユーザは雨よけ部材１を収納する必要性を感じないかもしれない。このような場合には、引き出された雨よけ部材１を全天候型居住環境制御システムが収納する場合に、その許可をユーザから得る方が好ましい。
【００７９】
そこで、この実施の形態における全天候型居住環境制御システムＡ６は、図９に示すように、ユーザの携帯電話１８と電気通信回線を通じて接続される。ここでの電気通信回線は、基地局１９、インターネット２０、移動通信網２１、およびインターネット２０と移動通信網２１を接続するゲートウェイ２２を含む。全天候型居住環境制御システムＡ６の取得手段１０は、携帯電話１８のような外部装置からの情報をその電気通信回線を通じて取得する。外部装置からの情報は、ここでは雨よけ部材１を収納する許可に関する情報である。制御手段７は、センサ４の出力から降雨の終了を推定したとき、取得された情報により雨よけ部材１を収納する許可が与えられていれば、雨よけ部材１を収納する。雨よけ部材１を収納する許可が与えられていなければ、判定手段６がセンサ４の出力から降雨の終了を推定していても、制御手段７は雨よけ部材１を収納しない。
【００８０】
雨よけ部材１を収納する許可に関する情報を適時取得するため、全天候型居住環境制御システムＡ６にさらに送信手段２３を備えるようにしてもよい。この送信手段２３は、降雨の終了の推定があったことの通知を外部装置に送信する。この場合、通知の送信がされてから、その通知を送信した外部装置から雨よけ部材１を収納する許可を与える情報が取得されると、制御手段７は雨よけ部材１を収納する。
【００８１】
このような機能を実現するためのハードウェアとして図３で例示した演算制御装置５のハードウェアを用いることができる。携帯電話１８上では、ブラウザやメールクライアントなどのアプリケーションが動作可能であり、対応するアプリケーションプロトコルを用いて携帯電話１８と演算制御装置５とが通信を行うため、ウェブサーバやメールクライアントのような通信プログラムも演算制御装置５上で動作する。
【００８２】
例えばＣＰＵ５０２が降雨の終了を推定すると、その通知を含むメールのデータを作成する。そのメールは、携帯電話１８に対応するメールアドレスに送信される。送信先のメールアドレスには、ＲＯＭ５０４に予め登録されたものを用いる。登録ユーザが複数いる場合、全天候型居住環境制御システムはそれらのユーザの中から通知を行うユーザを選択する。例えばその選択には、各ユーザが携帯する携帯電話の位置情報を利用する。その位置情報に基づいてもっとも全天候型居住環境制御システムの近くにいるユーザを選択する。
【００８３】
ユーザは、携帯電話１８でそのメールを受信し、雨よけ部材１を収納する許可を与えるか否かを判断する。全天候型居住環境制御システムＡ６が第１の実施の形態のように気象予報情報を取得している場合には、その気象予報情報を通知メールに含めることで、ユーザの判断を容易にすることもできる。ユーザが携帯電話１８で別途天候を確認してもよい。ユーザが雨よけ部材１を収納する許可を与えるか、その収納を禁止する場合には、受信したメールに返信する。許可か禁止は、例えばメールの件名の最後に「＊Ｙ」というような特定の文字列が付加されているか否かで表す。
【００８４】
演算制御装置５がこの返信メールを受信すると、ＣＰＵ５０２は、そのメールのデータから件名の文字列を抽出することで、雨よけ部材１を収納する許可に関する情報を取得する。ＣＰＵ５０２は、許可の有無を判別するために、抽出した文字列の後ろから２つの文字列を確認する。件名の文字列の最後に許可を表す文字列があった場合、そのときセンサ４の出力が降雨を示していなければ、雨よけ部材１を収納する判定を行う。件名の文字列の最後に許可を表す文字列がない場合、その許可が与えられるまで雨よけ部材１を収納する判定を行わない。
【００８５】
このように外部装置から雨よけ部材１を収納する許可を与える情報を取得すると、雨よけ部材１を収納することで、ユーザは遠隔地から雨よけ部材１の収納について全天候型居住環境制御システムに指示を与えることができる。
【００８６】
この例では、全天候型居住環境制御システムＡ６はユーザの携帯電話１８から雨よけ部材１を収納する許可を与える情報を取得したが、他の外部装置からその情報を取得するようにしてもよい。例えば雨よけ部材１の収納を管理する管理サーバを全天候型居住環境制御システムに電気通信回線を通じて接続し、全天候型居住環境制御システムは許可に関する情報をその管理サーバから取得する。そのための構成として図４で示した構成を採用することができる。サーバ９を管理サーバとして用いる。取得手段１０は、サーバ９からの情報を取得するときに、雨よけ部材１または設置地域の識別情報をその外部装置に送信する。雨よけ部材１が全天候型居住環境制御システム１台につき一つ設けられているか全天候型居住環境制御システムの有する複数の雨よけ部材１が同じ地域に設けられている場合、雨よけ部材１の識別情報として全天候型居住環境制御システムの識別情報を用いることができる。雨よけ部材１または設置地域の識別情報を用いて、サーバ９は第１の実施の形態で説明したように、その雨よけ部材１の設置された地域に対応する気象予報情報を選択する。選択した気象予報情報に基づいてその雨よけ部材を収納する許可を与えるか否かを決定する。この決定には、その雨よけ部材１の設置地域に隣接する地域の気象予報情報やその他の情報を利用することもできる。サーバ９は決定を行うと、その全天候型居住環境制御システムにその決定の内容を表す情報を送信する。このように気象予報情報の代わりに、雨よけ部材１を収納する許可に関する情報をサーバ９から取得することもできる。
【００８７】
（第６の実施の形態）  図１０に示すように、この実施の形態における全天候型居住環境制御システムＡ７は、降雨の予測時刻を特定する特定手段２４を備えている。この機能を実現するためのハードウェアとして図３で例示した演算制御装置５を用いることができる。ＣＰＵ５０２はプログラムの指令および設定データに従い降雨の予測時刻を特定する。
【００８８】
例えばＣＰＵ５０２は、定期的に気象予報情報を取得する。気象予報情報は、第１の実施の形態で説明したように、電気通信回線８を通じてサーバ９のような外部装置から取得すればよい。取得した気象予報情報が連続した複数の時間帯についてそれぞれ天候を示している場合、天候が雨に変わる時間帯の開始時刻を予測時刻として特定することができる。第４の実施の形態で説明したように、降雨を検知するセンサ４の他、日照量や風量を検知するセンサを全天候型居住環境制御システムが有している場合には、それらセンサの出力に基づいて全天候型居住環境制御システムＡ７が降雨の時刻を予測することもできる。
【００８９】
外部装置からの情報やセンサの出力に基づいて降雨の予測時刻を特定すると、ＣＰＵ５０２は、特定された時刻までにセンサ４の出力が降雨を示さなければ、その時刻に雨よけ部材１を引き出す判定を行う。特定された時刻までにセンサ４の出力が降雨を示せば、そのときに雨よけ部材１を引き出す判定を行う。
【００９０】
このように雨よけ部材１を引き出す判定を行うことにより、常時雨よけ部材１を引き出していなくても、降雨のありそうなときは、その降雨よりも前に雨よけ部材１を引き出すことができる。このため、洗濯物１００５が雨で濡れるのをより確実に防ぐことができる。
【００９１】
（第７の実施の形態）  例えば図１１に示すように、部屋１０１０内にユーザ１０１２がいるときに降雨があれば、そのユーザ１０１２がベランダ１０００に干した洗濯物１００５を部屋１０１０内に取り込むことで、その洗濯物１００５が雨で濡れるのを防ぐことができる。ユーザが在宅しているときは、降雨があったときに雨よけ部材１を引き出す必要性が低い。また、降雨があっても、ベランダ１０００に洗濯物１００５や布団などを干していなければ、基本的に雨よけ部材１を引き出す必要性はない。この実施の形態における全天候型居住環境制御システムは必要性の高い場合に雨よけ部材を引き出す。
【００９２】
図１２に示すように、この実施の形態における全天候型居住環境制御システムＡ８は、洗濯物検知手段２５および在宅判定手段２６を備えている。洗濯物検知手段２５は、洗濯物が雨よけ側に配置されているか否かを検知する。雨よけ側は、雨よけ部材１の両側のうち、その雨よけ部材１により雨で濡れるのを妨げられる物が配置される側である。在宅判定手段２６は、登録ユーザが外出しているか在宅しているかを判定する。制御手段７は、洗濯物が雨よけ側に配置され登録ユーザが外出している場合に限り、雨よけ部材１を引き出す。
【００９３】
このような機能を実現するため、図１３に示すように、図３で例示した演算制御装置５のハードウェアを用いることができる。この実施の形態では、ホームネットワーク１２を介してその演算制御装置５に家電機器１１やホームサーバ１４が接続されている他、人感センサ２７およびカードリーダ２８が接続されている。
【００９４】
人感センサ２７は、ガラス戸１００７からベランダ１０００に出る人と部屋１０１０に入る人を感知する。出入りを検知結果で区別するため、人感センサ２７には例えば扉の両側に配置した赤外線センサを用いる。人感センサ２７の検知結果は、洗濯物が雨よけ側に配置されているかどうかの判定に利用する。人感センサ２７は人を感知すると、ベランダ１０００に人が出たかベランダ１０００から人が入ったかを示す信号を演算制御装置５にホームネットワーク１２を通じて送信する。ベランダ１０００に人が出たことを示す信号を人感センサ２７から演算制御装置５が受信すると、ＣＰＵ５０２は、洗濯乾燥機のような家電機器１１またはホームサーバ１４から動作データを取得する。その動作データから、最近の洗濯または乾燥の終了時刻を抽出する。洗濯および乾燥が連続して行われている場合には乾燥の終了時刻を抽出する。抽出した終了時刻が、ベランダ１０００に人が出たことを示す信号を受信してから設定時間前までの時刻であれば、演算制御装置５は、ベランダ１０００から人が入ったことを示す信号を人感センサ２７から受信するまで待機する。ベランダ１０００に人が出たことを示す信号を受信した後、ベランダ１０００から人が入ったことを示す信号を受信すると、ＣＰＵ５０２は、洗濯物が雨よけ側に配置されていると判定する。
【００９５】
カードリーダ２８は、ユーザが外出しているか在宅しているかを判定するのに利用する。カードリーダ２８の読み取り部は、ドア１０１３の両側にそれぞれ配置されており、通信範囲にあるＩＣカードから非接触でユーザＩＤを読み取る。ドア１０１３の施錠は、読み取り結果に基づいて制御される。ドア１０１３の外側か内側で登録ユーザのＩＤが読み取られると、施錠は解除される。施錠の解除により、登録ユーザはドア１０１３から外へ出たり、部屋１０１０を含む住居に入ったりすることができる。登録ユーザのＩＤがドアの外側で読み取られたか内側で読み取られたかの区別は、その登録ユーザのＩＤおよびその読み取り時刻と一緒にホームサーバ１４に記憶される。
【００９６】
ＣＰＵ５０２は、洗濯物が雨よけ側に配置されていると判定した後、センサ４の出力が降雨を示すと、各ユーザＩＤの読み取り記録をホームサーバ１４から取得し、その記録に基づいて登録ユーザが外出しているか在宅しているかを特定する。ここでは、全ての登録ユーザが外出していることを特定した場合、ＣＰＵ５０２はユーザが外出していると判定し、一人でも登録ユーザが在宅していれば、ユーザが在宅していると判定する。予め指定されたユーザが外出していることを特定した場合にユーザが外出していると判定し、そのユーザが在宅している場合にユーザが在宅していると判定するようにしてもよい。
【００９７】
洗濯物が雨よけ側に配置されていると判定した後にセンサ４の出力が降雨を示したとき、ユーザが在宅していれば、雨よけ部材１を引き出す判定を行わない。雨よけ部材１は収納されたままになる。洗濯物が雨よけ側に配置されていると判定した後にセンサ４の出力が降雨を示したとき、ユーザが外出していれば、雨よけ部材１を引き出す判定を行う。この判定により雨よけ部材１が引き出され、洗濯物は雨から守られる。
【００９８】
洗濯物が雨よけ側に配置されていると判定したとき、ＣＰＵ５０２は、ユーザＩＤの読み取り記録が新たにされたことの通知をホームサーバ１４に要求する。その要求があった場合、ホームサーバ１４は登録ユーザに対し読み取り記録が新たにされたとき、その通知を演算制御装置５に送信する。ＣＰＵ５０２は、この通知を受信すると、ユーザが在宅していると判定する。
【００９９】
ユーザが在宅していると判定した後で人感センサ２７から人がベランダ１０００に出たことを示す信号を受信すると、ＣＰＵ５０２は、そのときから部屋１０１０に人が入ったことを示す信号を受信するまでの時間を計測する。計測時間が登録時間以上または以下であれば、洗濯物が雨よけ側に配置されていないと判定する。この状態では、センサ４の出力が降雨を示していても、ＣＰＵ５０２は雨よけ部材１を引き出す判定を行わない。
【０１００】
このように、本実施の形態における全天候型居住環境制御システムＡ８は必要性の高い場合に雨よけ部材１を引き出すことができる。
【０１０１】
この全天候型居住環境制御システムＡ８には、ユーザが在宅している場合に、センサ４の出力が降雨を示すと、そのユーザに降雨を通知する通知手段２９を備えるようにしてもよい。この通知の機能を実現するため、ここでは演算制御装置５が音源回路５０６を利用する。この音源回路５０６は、スピーカ３０に接続されており、ＣＰＵ５０２の指示に従いスピーカ３０に電気信号を出力する。スピーカ３０からその電気信号に対応する音響信号が出力される。
【０１０２】
ＣＰＵ５０２は、ユーザが在宅していると判定しているときにセンサ４の出力が降雨を示すと、音源回路５０６に指示を与え、音源回路５０６が降雨を通知するメッセージに対応する信号を出力する。これにより、例えば「雨が降ってきました」というメッセージがスピーカ３０から出力される。
【０１０３】
このように降雨をユーザに通知することにより、そのユーザは雨が降ってきたことを直ぐに知ることができ、洗濯物を適時取り込むことが可能になる。
【０１０４】
なお、上述の例では、人感センサ２７を用いて洗濯物が雨よけ側に配置されているか否かを検知したが、これに限られるものではない。例えば洗濯物１００５をかけるハンガー１００４に内蔵した無線タグを利用することができる。この無線タグに記憶されたデータを読み出すリーダで読み取った結果に従って、ＣＰＵ５０２は洗濯物が雨よけ側に配置されているか否かを検知する。リーダの読み取り部は全天候型居住環境制御システムの雨よけ側で、洗濯物１００５の近くに設ける。ここでは、物干し竿１００３に読み取り部を設ける。リーダが読み取ったデータは無線で演算制御装置５に供給される。
【０１０５】
ＣＰＵ５０２は、ハンガー１００４内の無線タグに対応するＩＤがリーダにより読み取られている場合、洗濯物１００５が雨よけ側に配置されていると判定する。この判定は、センサ４の出力が降雨を示したときにすることができる。センサ４の出力が降雨を示したときに、ハンガー１００４内の無線タグに対応するＩＤが読み取られ、ユーザが外出していると判定すると、ＣＰＵ５０２は雨よけ部材１を引き出す判定を行う。
【０１０６】
無線タグは、ハンガー１００４の他、洗濯バサミやその他の物干し竿１００３で洗濯物を干すための物に設けるようにしてもよい。洗濯バサミに無線タグを設ける場合、例えば無線タグが無線通信に利用する周波数の電波を遮蔽する遮蔽ボックスを用意する。洗濯物を干さないときには、洗濯バサミはその遮蔽ボックスに収容する。これにより、洗濯バサミが収容ボックスから取り出されているときのみ、その無線タグのデータがリーダにより読み出される。通常洗濯バサミがとりだされているときには、洗濯物が干されているので、雨よけ側に洗濯物が配置されているか否かの検知に利用することができる。所定数以上の洗濯バサミに対応する無線タグのＩＤが読み出されたときに、雨よけ側に洗濯物が配置されていると判定するようにしてもよい。
【０１０７】
このようなＩＤの読み取り時刻は、洗濯物を干し始めた時刻に対応するので、その時刻からの経過時間に従って洗濯物の状態は変化する。このため、雨よけ部材１を引き出すか収納するかの判定や長方薄板１０１の固定角度の調整にその経過時間を利用するようにしてもよい。
【０１０８】
また、センサ４の出力が降雨を示したことの通知には、スピーカ３０の他、パーソナルコンピュータ１０１４や、テレビジョン受像機のような家電機器１１を用いることもできる。パーソナルコンピュータやテレビジョン受像機を用いる場合、聴覚的な通知だけでなく、視覚的な通知、または視覚的および聴覚的な通知を行うことができる。例えば雨が降り始めたというメッセージをパーソナルコンピュータやテレビジョン受像機の画面に表示する。スピーカ３０やパーソナルコンピュータ、テレビジョン受像機のように通知に利用することができるデバイスが複数ある場合には、それら全てを用いて通知を行ってもよいし、選択したデバイスを用いて通知を行ってもよい。ユーザのいる部屋やユーザの使っている機器を特定することができる場合には、その部屋にある機器や使われている機器を選択する。これにより、ユーザに確実に通知を行うことができる。
【０１０９】
（第８の実施の形態）  図１４に示すように、この実施の形態における全天候型居住環境制御システムＡ９は、３つの雨よけ部１Ａ、１Ｂおよび１Ｃからなる雨よけ部材１Ｍを備えている。雨よけ部１Ａ、１Ｂおよび１Ｃはそれぞれ複数の長方薄板１０１を含み、図１５に示すように雨よけ部１Ａ、１Ｂおよび１Ｃの長方薄板１０１は３対の紐状の部材１０２Ａ、１０２Ｂ、および１０２Ｃでそれぞれ連結されている。雨よけ部１Ａを連結する部材１０２Ａは、雨よけ部１０２Ｂおよび１０２Ｃの孔に挿通されており、円筒部材２０９Ａに接続されている。雨よけ部材１Ｂの連結部材１０２Ｂは、雨よけ部１０２Ｃの孔に挿通されており、円筒部材２０９Ｂに接続されている。雨よけ部材１Ｃの連結部材１０２Ｃは円筒部材２０９Ｃに接続されている。３対の円筒部材２０９Ａ、２０９Ｂおよび２０９Ｃをモータ３で別個に駆動することにより、各雨よけ部１Ａ、１Ｂまたは１Ｃの長方薄板１０１の固定角度を互いに独立に調整することができる。例えば雨よけ部１Ａおよび１Ｂの長方薄板１０１を閉じ雨よけ部１Ｃの長方薄板１０１を開けることができる。
【０１１０】
全天候型居住環境制御システムＡ９の制御手段７は、雨よけ部材１Ｍを引き出す判定があった場合に、制御手段７は雨よけ側での風の流れに基づいて定められた角度に長方薄板１０１の固定角度を調整する。ここでは、雨よけ部毎に長方薄板１０１の固定角度が調整される。この制御の機能を実現するため、図３で例示した演算制御装置５のハードウェアを利用することができる。
【０１１１】
雨よけ側での風の流れは、雨の遮蔽と風通しの両方を考慮し、図１４に示す方向Ｗ１に定めることができる。この例のように全天候型居住環境制御システムＡ９がベランダ１０００に配置されている場合、引き出された雨よけ部材１Ｍの長方薄板１０１が幾らか開いていれば、長方薄板１０１の間から雨よけ側へ入った風はガラス戸１００７に向かう。このようなベランダ１０００では洗濯物１００５はベランダ１０００の下側に配置されているので、上方の長方薄板１０１の間からベランダ１０００に入りガラス戸１００７に向かった風の一部は下斜め方向にある洗濯物１００５に導かれる。
【０１１２】
このような雨よけ側での風の流れは、最も上方にある雨よけ部１Ｃの長方薄板１０１をベランダ１０００の下方に向けて傾けることで得ることができる。雨よけ部１Ａおよび１Ｂの長方薄板１０１の固定角度を雨よけ部１Ｃと同じ角度に調整すると、雨が長方薄板１０１の間から入り込む可能性が高くなる。しかしながら、雨よけ部材１Ｍの雨よけ部１Ｃのある領域へは、建物の側壁１００６が雨を遮るので雨が実質的に入り込まない。
【０１１３】
雨よけ部１Ｃより下側にある雨よけ部１Ｂについては長方薄板１０１が閉じられる。またこの実施の形態では、雨よけ部１Ａについては長方薄板１０１がベランダ１０００の上方に向けて傾けられる。これにより、雨よけ側から長方薄板１０１の間を通じて出る風の向きは下斜め方向になる。
【０１１４】
このように雨よけ部１Ａ、１Ｂおよび１Ｃの長方薄板１０１の固定角度を調整することにより、雨が降っていても、洗濯物１００５を雨で濡らさずに洗濯物１００５への風通しを確保することができる。
【０１１５】
雨よけ部１Ａ、１Ｂまたは１Ｃの長方薄板１０１の固定角度は、設定データとしてＲＯＭ５０４に記憶しておくことができる。ＣＰＵ５０２は、雨よけ部材１を引き出す判定によって雨よけ部材１が引き出されると、雨よけ部１Ａ、１Ｂおよび１Ｃの長方薄板１０１の固定角度をＲＯＭ５０４に記憶されたデータから取得する。そして、取得したデータに従って雨よけ部材１Ａ、１Ｂおよび１Ｃの長方薄板１０１の固定角度を調整するためのモータ３の制御を行う。
【０１１６】
長方薄板１０１の間から雨よけ側へ入る風の向きが下斜め方向となる角度に長方薄板１０１の固定角度が調整されている場合でも、長方薄板１０１の間から雨よけ側へ雨が入り込まない領域は、ユーザが指定するようにしてもよい。
【０１１７】
この場合、全天候型居住環境制御システムＡ９は、図１６に示すように、その領域にある長方薄板１０１を指定する指定手段３１を備えるようにしてもよい。ここでは、その領域にある長方薄板１０１の指定は、雨よけ部１Ａ、１Ｂおよび１Ｃからいずれかを選択することで行うことができる。この例では、３つの雨よけ部１Ａ、１Ｂおよび１Ｃから雨よけ部１Ａが選択される。その選択のために演算制御装置５にボタンやスイッチを設ける。ＣＰＵ５０２は、ボタンやスイッチの操作から、選択された雨よけ部を特定する。
【０１１８】
制御手段７は、選択された雨よけ部１Ａについて、長方薄板１０１の間から雨よけ側へ入る風の向きが下斜め方向となる角度に長方薄板１０１の固定角度を調整する制御を行う。また雨よけ部１Ａより下側にある雨よけ部１Ｂおよび１Ｃについて、雨よけ側から長方薄板１０１の間を通じて出る風の向きが下斜め方向となる角度に長方薄板１０１の固定角度を調整する制御を行う。
【０１１９】
このような指定により、雨が入り込まない領域を変更することができる。どのような領域を指定するかは、全天候型居住環境制御システムＡ９とその設置場所との関係からユーザが定めればよい。
【０１２０】
さらに雨よけ部１Ａ、１Ｂおよび１Ｃの長方薄板１０１の固定角度もユーザが指定するようにしてもよい。雨よけ側での風の流れは、全天候型居住環境制御システムＡ９とその設置場所との関係から、演算制御装置５が定めるようにしてもよい。その場合、定めた風の流れに基づいて制御手段７は長方薄板１０１の固定角度を調整するための制御を行う。
【０１２１】
（第９の実施の形態）  第１の実施の形態における全天候型居住環境制御システムＡ１は降雨を検知するセンサ４を一つ備えていたが、センサ４は２つ以上備えることができる。この実施の形態における全天候型居住環境制御システムＡ１０は、図１７に示すように、２つのセンサ４Ａおよび４Ｂを備えている。
【０１２２】
複数のセンサは上下方向の異なる位置に配置される。ここでは、センサ４Ａがベランダ１０００の天井１００８に相当する高さに配置されている。センサ４Ｂは、腰壁１００１の最上部でセンサ４Ａよりベランダ１０００側に配置されている。センサ４Ｂの方がセンサ４Ａより洗濯物１００５の近くに配置されているので、センサ４Ｂの出力が降雨を示すと、洗濯物１００５が雨で濡れる危険性が高い。
【０１２３】
このように複数のセンサを全天候型居住環境制御システムが備えていれば、制御手段７は、センサ４Ａおよび４Ｂからの出力に基づいて雨よけ部材１を引き出す量または収納する量を調整するためのモータ３の制御を行うことができる。
【０１２４】
この制御の機能を実現するために、例えば図３で例示した演算制御装置５のハードウェアを用いる。センサ４Ａの出力が降雨を示すとき、センサ４Ｂの出力が降雨を示していなくても、ＣＰＵ５０２は、プログラムの指令に従って雨よけ部材１を引き出す量を決定する。雨よけ部材１を引き出す量は、モータ３が部材１０３を繰り出す量で表すことができる。ここでは、その量は長さＬ１に対応する量であり、設定データとしてＲＯＭ５０４に記憶しておけばよい。雨よけ部材１を引き出す量を決定すると、ＣＰＵ５０２は、その決定に従ってモータ３の制御を行う。これにより、ボトム板１０４の高さは位置Ｈ１になり、腰壁１００１と建物の側壁１００６の間はほぼ雨よけ部材１が遮蔽する。
【０１２５】
センサ４Ｂの出力が降雨を示すとき、この例ではセンサ４Ａの方が雨で濡れ易い位置に配置されているので、通常センサ４Ａの出力も降雨を示す。このときも、ＣＰＵ５０２は、プログラムの指令に従って雨よけ部材１を引き出す量を決定する。そのときまでにボトム板１０４の高さが位置Ｈ１になっていれば、その量は長さＬ２に対応する量であり、雨よけ部材１が収納されていれば、その量は長さＬ１と長さＬ２の和に対応する量である。ＣＰＵ５０２がその決定に従って制御を行うことにより、ボトム板１０４の高さは図１７の実線で示す位置に調整される。
【０１２６】
雨よけ部材１が完全に引き出されている場合で、センサ４Ｂの出力から降雨の終了を推定したとき、ＣＰＵ５０２は、雨よけ部材１を収納する量を決定する。そのときセンサ４Ａの出力から降雨の終了を推定していなければ、その量は長さＬ２に対応する量であり、そのときセンサ４Ａの出力からも降雨の終了を推定していれば、その量は長さＬ１と長さＬ２の和に対応する量である。ＣＰＵ５０２は、その決定に従ってモータ３の制御を行い、雨よけ部材１を収納する量を調整する。
【０１２７】
このように複数のセンサの出力に基づいて雨よけ部材１を引き出す量や収納する量を調整することにより、降雨の状況に応じて雨の遮り具合や風通しを変更することができる。
【０１２８】
なお、第８の実施の形態における雨よけ部材１Ｍのように、一部の長方薄板１０１の固定角度を他の長方薄板１０１の固定角度と異ならせることができる場合には、制御手段７は、引き出された雨よけ部材１Ｍの長方薄板１０１の固定角度をセンサ４Ａおよび４Ｂからの出力に基づいて調整するためのモータ３の制御を行うようにしてもよい。
【０１２９】
例えばセンサ４Ｂの出力から降雨の終了を推定していても、センサ４Ａの出力から降雨の終了を推定していないとき、ＣＰＵ５０２は、雨よけ部材１Ｍを収納する量を調整する制御を行わず、雨よけ部１Ａについて長方薄板１０１の固定角度を調整する制御を行う。雨よけ部１Ｂおよび１Ｃの長方薄板１０１は閉じたままにし、雨よけ部１Ａの長方薄板１０１は開ける。これにより、雨よけ部材１Ｍの収納する量を調整しなくても、洗濯物１００５に対する風通しをよくすることができる。
【０１３０】
また、この例では、センサ４Ａおよび４Ｂを支持部材２から離れた位置に設けたが、これに限られるものではなく、複数のセンサを支持部材２の異なる位置に設けるようにしてもよい。
【０１３１】
また、この例では、複数のセンサの出力に基づいて雨よけ部材１を引き出す量または収納する量を調整したが、他の条件に基づいて雨よけ部材１を引き出す量または収納する量を調整するようにしてもよい。例えば気象予報情報として取得した降水確率が低いときには、ボトム板１０４の高さが位置Ｈ１になるまで雨よけ部材１を引き出し、降水確率が高いときには、雨よけ部材１を完全に引き出すようにしてもよい。
【０１３２】
（第１０の実施の形態）  この実施の形態における全天候型居住環境制御システムＡ１１は、図１８に示すように、２つの雨よけ部材１Ｘおよび１Ｙを備えている。雨よけ部材１Ｘと雨よけ部材１Ｙは平行で、雨よけ部材１Ｙは雨よけ部材１Ｘよりも雨よけ側に配置される。全天候型居住環境制御システムＡ１１は、これらの雨よけ部材１Ｘおよび１Ｙを用いて同じ場所の雨よけを行うことができる。
【０１３３】
雨よけ部材１Ｘおよび１Ｙは、第８の実施の形態における雨よけ部材１Ｍのように３つの雨よけ部を含み、雨よけ部毎に長方薄板１０１の固定角度を異ならせることができる。
【０１３４】
この全天候型居住環境制御システムＡ１１では、制御手段７は、雨よけ部材１Ｘおよび１Ｙの雨よけ部毎に長方薄板１０１の固定角度を雨よけと風通しから定めた角度に調整するためのモータ３の制御を行う。この例では、雨よけ部材１Ｘの長方薄板１０１の固定角度と雨よけ部材１Ｙの長方薄板１０１の固定角度とを平行面に対し対称にすると、ほとんど雨よけ側に雨が入り込まない。ここでは、上側の雨よけ部では、雨よけ部材１Ｘの長方薄板１０１と雨よけ部材１Ｙの長方薄板１０１とで八の字を形成している。下側の雨よけ部では、八の字を逆さに形成している。中間の雨よけ部では、雨よけ部材１Ｘおよび１Ｙの両方で長方薄板１０１が閉じられている。
【０１３５】
このように雨よけ部材１Ｘおよび１Ｙの長方薄板１０１の固定角度を調整する機能を実現するために、図３で例示した演算制御装置５のハードウェアを用いることができる。その場合、各雨よけ部の長方薄板１０１に対する固定角度の値は設定データとしてＲＯＭ５０４に記憶する。ＣＰＵ５０２は、センサ４の出力が降雨を示すと、雨よけ部材１Ｘおよび１Ｙを引き出す判定を行う。その判定によって雨よけ部材１Ｘおよび１Ｙが引き出されると、ＣＰＵ５０２は、ＲＯＭ５０４から設定データを読み出し、読み出した設定データに従って雨よけ部材１Ｘおよび１Ｙの各雨よけ部について長方薄板１０１の固定角度を調整するための制御を行う。これにより、図１８に示すように、雨よけ部材１Ｘおよび１Ｙの長方薄板１０１の固定角度が調整される。
【０１３６】
このように雨よけ部材１Ｘおよび１Ｙの長方薄板１０１の固定角度を調整すれば、長方薄板１０１の間から雨よけ側へ風を入れたり、雨よけ側から長方薄板１０１の間を通って風を出したりすることができる。この例では、雨よけ側へ入る風の方向はおおよそ方向Ｗ２となり、雨よけ側から出る風の方向はおおよそ方向Ｗ３となる。このため、雨が降っていても、洗濯物を雨で濡らさず、しかもその洗濯物に対して良好な風通しを確保することができる。
【０１３７】
上述の例では、１台の全天候型居住環境制御システムＡ１１に複数の雨よけ部材を備えたが、１つの雨よけ部材を有する複数の全天候型居住環境制御システムを接続した場合にも、同様の制御を行うことが可能である。
【０１３８】
なお、上述の実施の形態は、本発明の技術的範囲を制限するものではなく、既に記載したもの以外でも、その範囲内で種々の変形や応用が可能である。例えば雨よけ部材の長方薄板１０１に、透明または半透明の素材を用いるようにしてもよい。これにより、雨よけ部材１が引き出されていても、雨よけ側に光を入れることができる。第１０の実施の形態のように雨よけ部材が複数用意されている場合には、いずれかの雨よけ部材の長方薄板１０１に透明または半透明の素材を用い、その他の雨よけ部材については不透明の素材を用いるようにしてもよい。例えば同じ場所について雨よけを行うための２つの雨よけ部材のうち、外側の雨よけ部材の長方薄板１０１に透明または半透明の素材を用いる。外側の雨よけ部材の長方薄板１０１に透明または半透明の素材を用いれば、内側の雨よけ部材まで光を入れることができる。雨が降っていると、第１０の実施の形態のような制御を行っても、内側の雨よけ部材までは雨が入り込む可能性があるが、雨に濡れても支障のない植物やその他の物を外側の雨よけ部材と内側の雨よけ部材との間に置くことができる。この場合、外側の雨よけ部材を収納しなくても、透明または半透明の長方薄板を介してその植物の方へ光を入れることができる。
【０１３９】
全天候型居住環境制御システムの各部の構成も、上述した実施の形態の構成に限られるものではない。例えば雨よけ部材の軸２０８を中心とした揺動を抑えるために、１対の支持部材２にガイドレールを設け、それらのガイドレールにより長方薄板１０１の両端を挟むようにしてもよい。
【０１４０】
また、接続した複数の全天候型居住環境制御システムを用いて異なる場所について雨よけを行うようにしてもよい。例えば２つの全天候型居住環境制御システムをベランダ１０００の長手方向に並べることにより、２つの全天候型居住環境制御システムの雨よけ部材で、ベランダ１０００に面する２組のガラス戸１００７の両方を覆うようにしてもよい。両全天候型居住環境制御システムの判定や制御を統一する場合には、互いの演算制御装置５を接続する。その接続を介した通信により、一方の判定や制御の内容に他方が従属するか、両方の判定に基づいて制御を統一することもできる。雨よけを行う場所が異なっていても、ベランダ１０００に全ての全天候型居住環境制御システムが設置されている場合のように複数の全天候型居住環境制御システムが同一の構内に設置されている場合には、接続された複数の全天候型居住環境制御システムが個々に気象予報情報やその他の情報を取得する必要はなく、いずれかの全天候型居住環境制御システムが取得すればよい。その装置が取得した情報を他の装置は共有する。
【０１４１】
また、上述の実施の形態における雨よけに支障がない範囲であれば、必要に応じて防犯や日よけ、その他の理由により雨よけ部材１を引き出したり収納したりするようにしてもよい。
【０１４２】
さらに、この全天候型居住環境制御システムはベランダ１０００以外の場所に設置することも可能である。外界と居住空間の境界に雨よけ部材を配置すればよい。
【産業上の利用可能性】
【０１４３】
本発明にかかる全天候型居住環境制御システムは、降雨時には洗濯物や布団が雨で濡れるのを防ぐことができ、雨がやめば、適時日当たりや風通しを自動的に確保することにより、様々な天候の変化にも対応することができるという効果を奏し、家庭の洗濯物や布団の自然な乾燥や、業務上自然乾燥が必要な物の雨からの保護、その他の用途に有用である。
【図面の簡単な説明】
【０１４４】
【図１】本発明の全天候型居住環境制御システムの概略構成を示す図
【図２】本発明の全天候型居住環境制御システムの概略構成を示す他の図
【図３】第１の実施の形態における全天候型居住環境制御システムの電気的なハードウェア構成を示す図
【図４】第１の実施の形態における全天候型居住環境制御システムの機能ブロック図
【図５】全天候型居住環境制御システムに家電機器を接続したシステムの構成を示す図
【図６】第２の実施の形態における全天候型居住環境制御システムの機能ブロック図
【図７】第３の実施の形態における全天候型居住環境制御システムの機能ブロック図
【図８】第４の実施の形態における全天候型居住環境制御システムの機能ブロック図
【図９】第５の実施の形態における全天候型居住環境制御システムの機能ブロック図
【図１０】第６の実施の形態における全天候型居住環境制御システムの機能ブロック図
【図１１】洗濯物およびユーザについての検知および判定を説明するための図
【図１２】第７の実施の形態における全天候型居住環境制御システムの機能ブロック図
【図１３】第７の実施の形態における全天候型居住環境制御システムの電気的なハードウェア構成を示す図
【図１４】第８の実施の形態における全天候型居住環境制御システムの概略構成を示す図
【図１５】第８の実施の形態における全天候型居住環境制御システムの雨よけ部材を説明するための図
【図１６】第８の実施の形態における全天候型居住環境制御システムの機能ブロック図
【図１７】第９の実施の形態における全天候型居住環境制御システムの概略構成を示す図
【図１８】第１０の実施の形態における全天候型居住環境制御システムの概略構成を示す図
【符号の説明】
【０１４５】
１    雨よけ部材
２    支持部材
３    モータ
４、４Ａ、４Ｂ    降雨検知センサ
５    演算制御装置
６    判定手段
７    制御手段
８    電気通信回線
９    サーバ
１０  取得手段
１１  家電機器
１２  ホームネットワーク
１４  ホームサーバ
１５  風量検知センサ
１６  日照量検知センサ
１７  検索サーバ
１８  携帯電話
２３  送信手段
２４  特定手段
２５  洗濯物検知手段
２６  在宅判定手段
２９  通知手段
３１  指定手段
１０１  長方薄板
１０００  ベランダ
１００１  ベランダの腰壁
１００３  物干し竿
１００４  ハンガー
１００５  洗濯物
１００６  建物の側壁
１００７  ガラス戸
１００８  ベランダの天井
１００９  ベランダの床面
１０１０  部屋
１０１２  ユーザ
【図１】
2006037395.tif 000003
【図２】
2006037395.tif 000004
【図３】
2006037395.tif 000005
【図４】
2006037395.tif 000006
【図５】
2006037395.tif 000007
【図６】
2006037395.tif 000008
【図７】
2006037395.tif 000009
【図８】
2006037395.tif 000010
【図９】
2006037395.tif 000011
【図１０】
2006037395.tif 000012
【図１１】
2006037395.tif 000013
【図１２】
2006037395.tif 000014
【図１３】
2006037395.tif 000015
【図１４】
2006037395.tif 000016
【図１５】
2006037395.tif 000017
【図１６】
2006037395.tif 000018
【図１７】
2006037395.tif 000019
【図１８】
2006037395.tif 000020